(57)【要約】【課題】  着脱が容易であり、装着時に外れにくくなおかつ多様なデザインを行うことが可能であるクラスプを提供する。【解決手段】    受け入れ部材を挿脱するための挿入口と、前記挿入口から挿入された受け入れ部材を着脱するための着脱機構であって、前記受け入れ部材を着脱する押しボタンと、前記押しボタンを付勢するための付勢手段と前記押しボタンと一体成形されたあるいは押しボタンと別体で設けられた着脱機構と、を有する係止具と、前記係止具に挿脱する受け入れ部材と、から構成された装身具用のクラスプは前記押しボタンと前記係止具の外側表面と実質的に同一の面あるいはデザイン面を形成している【選択図】      図１
2009011525.tif 000002
【特許請求の範囲】
【請求項１】
受け入れ部材を挿脱するための挿入口と、
前記挿入口から挿入された受け入れ部材を着脱するための着脱機構であって、
前記受け入れ部材を着脱する押しボタンと、前記押しボタンを付勢するための付勢手段と前記押しボタンと一体成形されたあるいは押しボタンと別体で設けられた着脱機構と、
を有する係止具と、
前記係止具に挿脱する受け入れ部材と、
から構成された
装身具用のクラスプであって、
前記押しボタンと前記係止具の外側表面と実質的に同一の面を形成していることを特徴とする装身具用のクラスプ。
【請求項２】
前記開口部は、所望のデザイン性を有する形状を有しており、前記押しボタンは、前記開口部と実質的に同一の形状を有していることを特徴とする、請求項１に記載の装身具用のクラスプ。
【請求項３】
前記押しボタンは、平面視して少なくとも一方の端部まで延長されて形成されていることを特徴とする、請求項１または請求項２に記載の装身具用のクラスプ。
【請求項４】
前記係止具がリング状に構成されていることを特徴とする請求項１から請求項３のいずれか１項に記載の装身具用のクラスプ。
【請求項５】
前記係止具は、複数の受け入れ部材を挿脱するための複数の挿入口と、前記複数の挿入口への受け入れ部材を係脱するための１以上の押しボタンを有していることを特徴とする請求項１から請求項４のいずれか１項に記載の装身具用のクラスプ。
【請求項６】
前記押しボタンは、前記係止具と所定間隔で離間されて配置されていることを特徴とする請求項１に記載の装身具用クラスプ。
【請求項７】
前記係止具と前記押しボタンとは、互いに異なる素材、互いに異なる色、または両者で構成されていることを特徴とする請求項１から請求項６のいずれか１項に記載の装身具用のクラスプ。
【請求項８】
受け入れ部材を挿脱するための挿入口と、
前記挿入口から挿入された受け入れ部材を着脱するための着脱機構であって、
前記受け入れ部材を着脱する押しボタンと、前記押しボタンを付勢するための付勢手段と前記押しボタンと一体成形されたあるいは押しボタンと別体で設けられた着脱機構と、
を有する係止具と、
前記係止具に挿脱する受け入れ部材と、
から構成された
装身具用のクラスプであって、
前記押しボタンは、前記クラスプの装飾部を構成することを特徴とする装身具用のクラスプ。
【請求項９】
前記係止具と前記押しボタンとは、互いに異なる素材、互いに異なる色、または両者で構成されていることを特徴とする請求項８に記載の装身具用のクラスプ。
【請求項１０】
受け入れ部材を挿脱するための挿入口と、
前記挿入口から挿入された受け入れ部材を着脱するための着脱機構であって、
前記受け入れ部材を着脱する押しボタンと、前記押しボタンを付勢するための付勢手段と前記押しボタンと一体成形されたあるいは押しボタンと別体で設けられた着脱機構と、
を有する係止具と、
前記係止具に挿脱する受け入れ部材と、
から構成された
装身具用のクラスプであって、
前記係止具がリング状に構成されていることを特徴とする装身具用のクラスプ。
【請求項１１】
受け入れ部材と、受け入れ部材を挿入するための挿入口と挿入した受け入れ部材を着脱するための着脱機構を有する係止具とから構成された装身具用のクラスプであって、
前記受け入れ部材は、前記挿入口に挿入するための挿入部と、着脱の際にユーザが把持するための把持部とから構成され、前記受け入れ部材が前記係止部に挿入された際にクラスプの形状を構成することを特徴とする装身具用のクラスプ。
【請求項１２】
前記受け入れ部材は、前記係止具への着脱用の押しボタンを有していることを特徴とする請求項１1に記載の装身具用のクラスプ。
【請求項１３】
前記係止具の挿入口は、前記受け入れ部材の係止部の挿入に伴って前記受け入れ部材の方向を規制し、前記挿入部が完全に挿入された際に前記係止部が前記係止具に係止されなおかつ前記係止具と前記受け入れ部材とでクラスプの形状を構成することを特徴とする請求項１２または請求項１３に記載の装身具用のクラスプ。
【発明の詳細な説明】
【技術分野】
【０００１】
本発明は装身具用のクラスプに関する。より詳しく述べると、クラスプ本来の機能を有しつつデザイン性の高い装身具用のクラスプに関する。
【背景技術】
【０００２】
装身具用のクラスプとは、ネックレス、ブレスレット、アンクレット等の環状装身具の留め具を意味しており、そのうち弾性力を利用した係止手段を用いるものが数多く開発されている。
【０００３】
例えば、本出願人が出願した特許文献１の場合、図１２（ａ）、（ｂ）、（ｃ）に示すように係止具１２３にはその周面に係止溝１２３ａが形成されている。留め金具本体１２２は、係止具１２３が挿脱可能な円筒形状の受入れ部材１２５と、この受入れ部材１２５の長軸に対して垂直方向に移動する係止部材１２６と、コイルバネ１２７ａと、コイルバネ１２７ａを収容するバネ収容部材１２７を有している。係止部材１２６は図１１（ｃ）に示されるように略Ｕ字形状をしており、この係止部材１２６を上下に摺動させ得るように受入れ部材１２５の外周は肉厚範囲内で平面状に削られている。また、係止部材１２６の底部である係止部１２６ｃが受入れ部材１２５内部に突出できるように、受入れ部材１２５には切欠が施されている。係止具１２３が挿入されていないときは係止部材１２６はコイルバネ２７ａの付勢力により上方向に押上げられており、受入れ部材１２５の切欠部に係止部１２６ｃが当接している状態にある。係止具１２３を挿入すると、その外周面で係止部材１２６の係止部１２６ｃをコイルバネ１２７ａの弾性力に抗して押圧しながら通過し、係止溝１２３ａが係止部１２６ｃに至った地点でコイルバネ１２７ａにより係止部１２６ｃが係止溝１２３ａに係止される。なお、係脱押釦１２６ｂは略Ｕ字形板１２６ａに固着されている。
【０００４】
また、特許文献２には図１３に示す通りコイルバネ２０７を中空状に形成した係脱押釦２０６ｂ内に収容した構造とし、該係脱押釦２０６ｂを押圧した際、係止部材２０６の係止部２０６ｃの下端がケース本体２０４の下側面に当接することによって、係止部材２０６の摺動運動が規制される構造を有しているクラスプが記載されている（特許文献２）。
【０００５】
このように、装身具用のクラスプは、バネ等の付勢手段と押しボタンとの組み合わせにより受け入れ部材を係止して環状体を形成するものであり、特許文献１および特許文献２に代表されるこの種の方式の装身具用のクラスプは、いずれも受け入れ部材の着脱を確実に行い装着時に外れにくくする工夫を行っている。
【０００６】
【特許文献１】実開平７−３０７３０号公報（全文）
【特許文献２】特開平０９−１８２６０９号公報（全文）
【発明の開示】
【発明が解決しようとする課題】
【０００７】
しかしながら、近年、装身具自体が多様化しており、クラスプ自体にもデザイン性が求められるようになってきている。
【０００８】
従って、本発明の課題は、着脱が容易であり、装着時に外れにくくなおかつ多様なデザインを行うことが可能であるクラスプを提供することである。
また、本発明の別の課題は、新規形状のクラスプを提供することである。
【課題を解決するための手段】
【０００９】
上記課題を解決する本発明は、下記項目に関する。
（１）  受け入れ部材を挿脱するための挿入口と、
前記挿入口から挿入された受け入れ部材を着脱するための着脱機構であって、
前記受け入れ部材を着脱する押しボタンと、前記押しボタンを付勢するための付勢手段と前記押しボタンと一体成形されたあるいは押しボタンと別体で設けられた着脱機構と、
を有する係止具と、
前記係止具に挿脱する受け入れ部材と、
から構成された
装身具用のクラスプであって、
前記押しボタンと前記係止具の外側表面と実質的に同一の面を形成していることを特徴とする装身具用のクラスプ。
【００１０】
なお、本発明で使用する用語「実質的に」とは、製造工程上での誤差範囲だけでなく、使用者がクラスプ本体である係止具上で押しボタンを認識する程度の凹凸を有するものも含むことを意味する。
【００１１】
（２）  前記開口部は、所望のデザイン性を有する形状を有しており、前記押しボタンは、前記開口部と実質的に同一の形状を有していることを特徴とする、（１）に記載の装身具用のクラスプ。
【００１２】
なお、本発明で使用する用語「所望のデザイン」とは、平面視して丸型、樽型、楕円形四角形などの従来の平面形状に加えて、押しボタンが、ハート型、星型、リーフ型に代表される所定の形状を含む形状であってもよいことを意味している。
（３）  前記押しボタンは、平面視して少なくとも一方の端部まで延長されて形成されていることを特徴とする、（１）または（２）に記載の装身具用のクラスプ。
（４）  前記係止具がリング状に構成されていることを特徴とする請求項１から請求項３のいずれか１項に記載の装身具用のクラスプ。
（５）  前記係止具は、複数の受け入れ部材を挿脱するための複数の係止溝と、前記複数の係止溝への受け入れ部材を係脱するための１以上の押しボタンを有していることを特徴とする請求項１から請求項４のいずれか１項に記載の装身具用のクラスプ。
（６）  前記押しボタンは、前記係止具と所定間隔で離間されて配置されていることを特徴とする請求項１に記載の装身具用クラスプ。
（７)  前記係止具と前記押しボタンとは、互いに異なる素材、互いに異なる色、または両者で構成されていることを特徴とする（１）から（６）のいずれか１項に記載の装身具用のクラスプ。
【００１３】
（８）  受け入れ部材を挿脱するための挿入口と、
前記挿入口から挿入された受け入れ部材を着脱するための着脱機構であって、
前記受け入れ部材を着脱する押しボタンと、前記押しボタンを付勢するための付勢手段と前記押しボタンと一体成形されたあるいは押しボタンと別体で設けられた着脱機構と、
を有する係止具と、
前記係止具に挿脱する受け入れ部材と、
から構成された
装身具用のクラスプであって、
前記押しボタンは、前記クラスプの装飾部を構成することを特徴とする装身具用のクラスプ。
【００１４】
（９）  前記係止具と前記押しボタンとは、互いに異なる素材、互いに異なる色、または両者で構成されていることを特徴とする（８）に記載の装身具用のクラスプ。
【００１５】
（１０）  受け入れ部材を挿脱するための挿入口と、
前記挿入口から挿入された受け入れ部材を着脱するための着脱機構であって、
前記受け入れ部材を着脱する押しボタンと、前記押しボタンを付勢するための付勢手段と前記押しボタンと一体成形されたあるいは押しボタンと別体で設けられた着脱機構と、
を有する係止具と、
前記係止具に挿脱する受け入れ部材と、
から構成された
装身具用のクラスプであって、
前記係止具がリング状に構成されていることを特徴とする装身具用のクラスプ。
【００１６】
（１１）  受け入れ部材と、受け入れ部材を挿入するための挿入口と挿入した受け入れ部材を着脱するための着脱機構を有する係止具とから構成された装身具用のクラスプであって、
前記受け入れ部材は、前記挿入口に挿入するための挿入部と、着脱の際にユーザが把持するための把持部とから構成され、前記受け入れ部材が前記係止部に挿入された際にクラスプの形状を構成することを特徴とする装身具用のクラスプ。
（１２）  前記受け入れ部材は、前記係止具への着脱用の押しボタンを有していることを特徴とする（１1）に記載の装身具用のクラスプ。
（１３）  前記係止具の挿入口は、前記受け入れ部材の係止部の挿入に伴って前記受け入れ部材の方向を規制し、前記挿入部が完全に挿入された際に前記係止部が前記係止具に係止されなおかつ前記係止具と前記受け入れ部材とでクラスプの形状を構成することを特徴とする（１１）または（１２）に記載の装身具用のクラスプ。
【発明の効果】
【００１７】
本発明によると、クラスプの押しボタンと係止具のデザインを見た目で一体化することが可能であるので、装身具用のクラスプ自体に種々のデザインを付与することが可能である。
また、（１１）から（１３）によると、デザインと実質的に一体感を有しておりかつ新規機構を有するクラスプが提供される。
【発明を実施するための最良の形態】
【００１８】
（第１実施形態）
以下、本発明の実施の形態を添付図面に基づいて説明する。
まず、本発明の第１実施形態に係る装身具用のクラスプについて図１および図２に基づいて説明する。
【００１９】
図１は、本発明の第１実施形態のクラスプを示す概略図であり、図２（ａ）〜（ｄ）は、本発明の第１実施形態のクラスプの平面図であり、そして図３は、本発明の第１実施形態のクラスプを示す正面図である。
【００２０】
図１に示す通り、本発明のクラスプは受け入れ部材２を挿脱するための挿入口１１と、
開口部１２と、開口部１２に挿入され、受け入れ部材２を着脱するための付勢手段１３と係脱用の押ボタン１４と押しボタンと一体成形されたあるいは別体として形成された着脱機構１５とから構成された係止具１と、前記係止具に挿脱する受け入れ部材２と、から主として構成されている。
【００２１】
そして、挿入口１１から受け入れ部材２を完全に挿入することにより、着脱機構１５は受け入れ部材２を係止し、一方押しボタン１４とコイルバネ等の付勢手段１３を含む着脱機構１５の押しボタン１２を押圧することにより、挿入口１１内部に設けられた着脱機構１５が作動し、前記着脱機構による係止が解除される。この際に、挿入口１１に挿入される部分の受け入れ部材は、着脱機構１５の形式に応じて図１に示す通り係合溝を有する形状であったり、図１０に示す通りに先端が鍵型になっていたりすることができる。
【００２２】
このような第１実施形態のクラスプは、着脱機構１５、受け入れ部材２については従来公知の種々の構成をとることができ、特に限定されるものではない。例えば、本願出願人が先に出願した特許文献１、特許文献２に記載の方式をとることができる。
【００２３】
第１実施形態のクラスプは、図１に示す通り、従来技術のこの種の着脱機構を有するクラスプにおいて、着脱機構１５を構成する押しボタンが、係止具１の開口部１２から突出して設けられていたのに対して、第１実施形態のクラスプでは開口部１２が設けられた表面と押しボタン１４の面が実質的に同一の面（同一平面または同一曲面）を形成している点である。
【００２４】
なお、本発明で使用する用語「実質的に同一平面」とは、製造工程上での誤差範囲だけでなく、見た目が同一平面または同一の局面を形成していれば特に限定されず、使用者がクラスプ本体である係止具上で押しボタンを認識する程度の凹凸を有するものも含んでもよい。この場合には、使用者にクラスプの押しボタン１４を認識するために押しボタンがクラスプ全体の美観を損ねない程度若干の突起を有していることが好ましい。
【００２５】
このように、押しボタン１４と係止具１の開口部１１側面を実質的に同一の面で形成する場合には、例えば図２（ａ）〜図２（ｄ）に示すような形態をとることができる。
【００２６】
すなわち、図２（ａ）に示す通り、係止具１を平面視して、係止具１のいずれかの方向（図中ａ方向）の内側に押しボタン１４（開口部１１）を形成することができる。
【００２７】
また、図２（ｂ）、図２（ｃ）に示す通り係止具１を平面視して、係止具１のいずれかの方向（図中ａ方向）のいずれか一方（図２（ｂ）または両方の端部までに亘って押しボタン１４および前記開口部が設けられている。
【００２８】
この場合、図３に示すように押しボタン図２（ａ）に示す実施形態と比較して押しボタンが露出している表面積が大きくなるので好ましい。
【００２９】
また、図２（ｄ）に示す通り、押しボタン１５および対応する開口部１２は平面視して所定のデザインを施した形状とすることができる。
【００３０】
すなわち、第１実施形態のクラスプは、従来この種のクラスプで使用されてきた、丸型、楕円形、樽型、四角形などの平面形状に加えて、図２（ｄ）に示すハート型、星型、など押しボタン１４として機能する形状であれば特に限定されるものではない。その他キャラクターなどをかたどった平面形状を有する押しボタンであってもよい。
【００３１】
また、第１実施形態において、クラスプ本体である係止具１と、押しボタン１４とを異なる素材により構成することも本発明の範囲内である。
すなわち、係止具１と押しボタン１４との素材を変えて、素材の質感により、使用者に押しボタンを構成することができる。
【００３２】
この際に係止具１に使用できる素材は当該技術分野に公知の素材のなかから適宜選択される。より具体的には、真鍮、金、銀、鉄、ステンレス等の各種金属類、これらの金属にメッキを施したもの等を係止具の素材として使用することができる。
【００３３】
一方、押しボタン１４に使用できる素材とは、係止具１と同様の金属類から、係止具１に使用する金属とは異なる金属を選択することが一般的であるが、押しボタン１４として、前記金属類に加えて、樹脂等のプラスチック素材、セラミック類など押しボタンとして加工可能であるものを使用することもできる。
【００３４】
更に、第１実施形態において、クラスプ本体である係止具１と、押しボタン１４とを異なる色で構成することも本発明の範囲内である。すなわち、異なる素材を用いることにより係止具１と押しボタン１４との配色を変化させるだけでなく、メッキ、着色等により係止具１と押しボタン１４との配色を変化させることも本発明の範囲内である。
【００３５】
このように構成することによって、第１実施形態に係る発明ではクラスプの本体である係止具と押しボタンを実質的に一体感を持たせることができる。しかも、例えばブレスレット用のクラスプの場合には押しボタン１５を身体の接触側に設けた場合でも、受け入れ具２を挿入した状態でも誤って押しボタンが押されて係止関係が解除される可能性が少ないという効果も奏する。
【００３６】
（第２実施形態）
次に、本発明の第２実施形態を図４に基づいて説明する。図４は、本発明の第２実施形態に係るクラスプを示す斜視図である。図４に示す本実施形態のクラスプは、第１実施形態のクラスプにおいて、リング状に形成されたクラスプである。
【００３７】
図４に示す通り、クラスプ全体を環状に構成することによって、各種装身具と一体感を持たせることができる。このような形状のクラスプは新規である。従って、本発明は、クラスプ全体がリング状に構成されているクラスプまで拡張される。
【００３８】
（第３実施形態）
次に本発明の第３実施形態を図５に基づいて説明する。
図５（ａ）、（ｂ）は、本発明の第３実施形態に係るクラスプを示す斜視図である。
図５に示す通り、本発明のクラスプは、多連式のクラスプにも適用可能である。なお、図５（ａ）に示す実施形態は、押しボタン１つに対して複数の挿入口と連動するタイプのクラスプであり、図５（ｂ）に示す実施形態は各挿入口が各々異なる押しボタンにより係止関係を持たせるタイプである。
【００３９】
本発明はこのようなクラスプにも対応可能である。なお。挿入口は、断面計上は丸型よりも直線を持たせて受け入れ部材を確実に係止できる構成とすることが好ましい。
【００４０】
(第４実施形態)
次に本発明の第４実施形態を図６〜図９に基づいて説明する。
図６から図９は各々本発明の第４実施形態に係るクラスプを示す図面である。
図６〜図８に示すように、本実施形態のクラスプは、係止具そのものにデザイン性を持たせることが可能である。
【００４１】
すなわち、第１実施形態から第３実施形態に記載のクラスプは、係止具１の外側表面（開口部側表面）と押しボタン１４とを実質的に同一の面を形成しているのに対して、本実施形態では、係止具１通しボタン１４とで所定のデザイン性を有する構成にしている。
なお、図６に示すクラスプは、クラスプ自体がデザイン性を有しており、そのデザインの一部として押しボタン１４が構成されている。
【００４２】
なお、図６に示す実施形態では、一見してクラスプ全体の形体を構成する程度に押しボタンが形成されている範囲までが本発明でいうデザインと一体化して形成された押しボタンであることを意味する。換言すると、デザイン性を有する形状のクラスプにおいて、目立たない範囲で形成された押しボタンを有するクラスプは本発明の範囲内である。
【００４３】
図７に示す実施形態では、押しボタンそのものがクラスプのデザインの一部または全部を構成している例を示している。すなわち、図７（ａ）に示す通り、押しボタン１４を四葉のクローバを模った形体に構成して、クラスプの形体の中に溶け込むように構成することもでき、あるいは図７（ｃ）に示す通り、四葉のクローバを模ったデザインのうち少なくともいずれか１枚の葉の部分を押しボタン１４とすることができる。
【００４４】
なお、図８に示すように本実施形態のクラスプにおいて、押しボタンを係止具の外側に設ける構成とすることも可能である。
【００４５】
なお、第４実施形態も、第１実施形態と同様に、係止具１と押しボタンを異なる素材、異なる配色で設けることも可能である。
【００４６】
（第５・第６実施形態）
次に本発明の第５・第６実施形態に係るクラスプを図９および図１０に基づいて説明する。図９および図１０に示す実施形態は、係止具１側に受け入れ部材を係脱するための着脱機構を有しており、一方係合ピンを有する受け入れ部材と係止関係となった際に、一体化してクラスプ本体の形状を構成するものであり、受け入れ部材側に係止具との係止・解除の機構を有するクラスプを示す実施形態である。
【００４７】
図９（ａ）から（ｃ）は、本発明の第５実施形態に係るクラスプを示す図面であり、図９（ａ）は斜視図であり、図９（ｂ）は、平面図であり、そして図９（ｃ）は、クラスプが係止した状態を示す図面である。
図９（ａ）に示す通り、第５実施形態に係るクラスプにおいて、係止具本体２１は、挿入口３１を有するアール部２１ａを備えている。一方、受け入れ部材４１は、係合ピン４１ａと把持部４１ｂから構成され、図９（ｂ）に示す通り、把持部４１ｂは、アール部２１ａに嵌合されるような凹部に係合ピン４１ａを備えた形状をしている。なお、図９では説明を簡単にするために押しボタン部は省略してある。
【００４８】
そして、装着時には受け入れ部材４１の把持部４１ｂを持って係合ピン４１ａを挿入口３１に挿入すると、図９（ｃ）に示す通り受け入れ部材４１は、アール部２１ａのアール面に沿って回転し、係合ピン４１ａが完全に挿入された際に図示しない着脱機構により係合ピン４１ａが係止される。その際に、アール部３１に沿って回転した把持部４１ａと係止具２１’によりクラスプ全体の形状が構成される仕組みである。すなわち、Ｒ部分は、係合ピンを着脱機構と係合関係を行うために係合ピンを案内する作用と、係止具と把持部で目的とするクラスプの形状になるように把持を整える作用を有している。
【００４９】
一方、係止関係を解除する場合には、従来と同様にクラスプと同様に図示しない係止具２１に設けられた押しボタンにより係止関係を解除することができる。
このように構成することによって、クラスプ全体に統一感を持たせることが可能となる。
【００５０】
図１０（ａ）および図１０（ｂ）は、本発明の第６実施形態に係るクラスプを示す図面であり、図１０（ａ）はクラスプが係止する前の状態を示す図面であり、そして図１０（ｂ）は、クラスプが係止した状態を示す図面である。
【００５１】
図１０（ａ）に示す通り、第６実施形態に係るクラスプは、係合ピンの先端部を係合させるための係合部５１ｂを有する挿入口５１ａを有する係止具本体５１と、ユーザが係止具本体５１に係止する際に持つための把持部６１ａと、係合ピン６１ｂと係合ピン６１ｂを下方方向に移動させるための付勢力手段６１ｃと押しボタン６１ｄから主として構成されている（なお、押しボタン６１ｄと係合ピン６１ｄは一体成形されていてもよい）。
【００５２】
そして、係止具本体５１と受け入れ部材６１とが係止した際に一体感を持つクラスプとなるような形状に係止具本体５１と受け入れ部材６１の把持部６１ｃ）が構成されている。
【００５３】
付勢手段６１ｃは、押しボタン６１ｄを押す方向（図中垂直下方向）と逆の方向（垂直上方向）に付勢力を有しており、押しボタン６１ｄを押すことによって、係合ピン６１ｄは、垂直下方向に移動し、押しボタンを離すことによって係合ピン６１ｂは付勢手段６１ｃの付勢力によって元の位置に押し戻される構成を有している。
【００５４】
装着時に、ユーザは押しボタンを押した状態で係止具本体の挿入口５１ａに挿入し、突き当たった所で、押しボタンから指を離す。すると、付勢手段６１ｃにより、係合ピンは、情報に移動して係合ピン６１ｂの先端部が挿入口５１ａに入り係合される。クラスプを外す際は、押しボタン６１ｄを押して受け入れ部材６１側に引き抜くことで容易に外すことが可能となる。
【００５５】
このように、第６実施形態に係るクラスプでも、クラスプ全体に統一性を持たすことができ、第１から第３実施形態と同様に押しボタンと受け入れ部材とが実質的同一平面で構成することができる。
なお、図９に示す実施形態と同様に第６実施形態においても挿入口５１ａ部分にアール部分を設ける構成とすることも可能である。
【００５６】
（その他の実施形態）
なお、第１から第４実施形態において図１１に示す通り、押しボタン１４’と、クラスプ本体である係止具１’との間に隙間部１６を設けて、この隙間部１６部分を押しボタン１４’の稼動部分とすることもできる。この場合、隙間部１６部分をクラスプ本体と一見して同一平面に見えるようにすることもあるいはボタン部分に装飾を施すことも本発明の範囲内である。
【００５７】
この際の、係脱機構は従来公知の係脱機構、例えば図１１、図１２に示す構成を有することができる。押しボタン１４’は、例えば図示しない開口部の下側に設けた着脱機構の付勢力手段と連動する連結具により係止具と接続されており、押しボタン１４が外れないような止め具によって止められている（あるいは連結具自体に止め手段を有している）。
【００５８】
そして、図１１（ａ）、（ｂ）に示す隙間部分が稼動部１６となり、受け入れ部材２’の係脱を行う構成となっている。
逆に、押しボタン側に付勢手段を設けてもよい。
【図面の簡単な説明】
【００５９】
【図１】本発明の第１実施形態のクラスプを示す概略図である。
【図２】（ａ）〜（ｄ）は、本発明の第１実施形態のクラスプの平面図であり、そして図３は、本発明の第１実施形態のクラスプを示す正面図である。
【図３】本発明の第１実施形態のクラスプを示す正面図である。
【図４】本発明の第２実施形態に係るクラスプを示す斜視図である。
【図５】（ａ）、（ｂ）は、本発明の第３実施形態に係るクラスプを示す斜視図である。
【図６】本発明の第４実施形態に係るクラスプを示す図面である。
【図７】本発明の第４実施形態に係るクラスプを示す図面である。
【図８】本発明の第４実施形態に係るクラスプを示す図面である。
【図９】本発明の第５実施形態に係るクラスプを示す図面であり、図９（ａ）は斜視図であり、図９（ｂ）は、平面図であり、そして図９（ｃ）は、クラスプが係止した状態を示す図面である。
【図１０】（ａ）およびｂ）は、本発明の第６実施形態に係るクラスプを示す図面であり、図１０（ａ）はクラスプが係止する前の状態を示す図面であり、そして図１０（ｂ）は、クラスプが係止した状態を示す図面である。
【図１１】本発明の更に別の実施形態にかかるクラスプを示す図面であり、図１１（ａ）は挿入口側からみた側面図であり、図１１（ｂ）は、クラスプへ受け入れ部材を挿入する側からみた側面図である。
【図１２】従来のクラスプを示す図面である。
【図１３】従来のクラスプを示す図面である。
【符号の説明】
【００６０】
１  係止具（クラスプ本体）
２  受け入れ部材
１１  挿入口
１２  開口部
１３  付勢手段
１４  押しボタン
１５  着脱機構
【図２】
2009011525.tif 000003
【図４】
2009011525.tif 000004
【図５】
2009011525.tif 000005
【図６】
2009011525.tif 000006
【図７】
2009011525.tif 000007
【図１】
2009011525.tif 000008
【図３】
2009011525.tif 000009
【図８】
2009011525.tif 000010
【図９】
2009011525.tif 000011
【図１０】
2009011525.tif 000012
【図１１】
2009011525.tif 000013
【図１２】
2009011525.tif 000014
【図１３】
2009011525.tif 000015